(57)【要約】【課題】作業者の負担を軽減できるとともに、被包装物を満遍なく包装できるフィルム包装機を提供することを目的とする。【解決手段】包装用フィルム２を巻き付けて被包装物３を包装するものであり、基台４と、被包装物３が載置される回転テーブル５と、包装用フィルム２を支持するフィルム支持装置６とを備え、基台４には回転駆動部５ａが内蔵されており、フィルム支持装置６は、上下に長尺な支柱７と、この支柱７に沿って昇降可能に取り付けられる昇降駆動部８と、この昇降駆動部８と一体的に設けられ、包装用フィルム２を巻き出し可能に支持する支持台９とを備えたフィルム包装機１。これにより、包装用フィルムを支柱に沿って昇降させながら、この包装用フィルムを被包装物に巻き付けることができる。【選択図】図１
2009062053.tif 000002
【特許請求の範囲】
【請求項１】
包装用フィルムを巻き付けて被包装物を包装するフィルム包装機において、
基台と、この基台に回転自在に支持され、前記被包装物が載置される回転テーブルと、前記基台の近傍に設けられ、前記包装用フィルムを支持するフィルム支持装置とを備えており、
前記基台には、前記回転テーブルを回転させる回転駆動部が内蔵されており、
前記フィルム支持装置は、上下に長尺な支柱と、この支柱に沿って昇降可能に取り付けられる昇降駆動部と、この昇降駆動部と一体的に設けられ、多重に巻回された前記包装用フィルムを巻き出し可能に支持する支持台とを備えていることを特徴とするフィルム包装機。
【請求項２】
請求項１に記載のフィルム包装機において、
前記昇降駆動部は、前記回転駆動部の回転動作に連動して昇降動作を行うように設定されていることを特徴とするフィルム包装機。
【請求項３】
請求項１または２に記載のフィルム包装機において、
前記支柱の側面には、この支柱の上下方向に沿って長尺な突条部が設けられており、
前記昇降駆動部には、前記支柱および突条部の双方を挿入可能な貫通孔が形成されていることを特徴とするフィルム包装機。
【請求項４】
請求項１〜３のいずれか一項に記載のフィルム包装機において、
前記支持台上には、前記包装用フィルムの軸心に挿入される支持軸が立設されており、前記包装用フィルムは、この支持軸の軸周り方向に回転自在となっていることを特徴とするフィルム包装機。
【請求項５】
請求項１〜４のいずれか一項に記載のフィルム包装機において、
前記包装用フィルムは、ストレッチフィルムであることを特徴とするフィルム包装機。
【発明の詳細な説明】
【技術分野】
【０００１】
本発明は、包装用フィルムを巻き付けて被包装物を包装するフィルム包装機に関する。
【背景技術】
【０００２】
従来、包装用フィルムを巻き付けて被包装物を包装する際は、回転テーブル上に被包装物を載せ、この回転テーブルを駆動回転させ、被包装物にフィルムを巻き付けるようにしていた（例えば、特許文献１参照）。
このような簡易ストレッチ包装用ターンテーブルによれば、操作部を操作して回転テーブルを低速で回転できるので、包装用フィルムを手動で回転テーブル上の被包装物に容易に巻き付けることができるようになっている。
【特許文献１】実公平０７−０５４０８１号公報
【発明の開示】
【発明が解決しようとする課題】
【０００３】
ところで、上記特許文献１に記載の回転テーブル上に載せられた被包装物に包装用フィルムを手動で巻き付けるに際し、この包装用フィルムを被包装物の側面に満遍なく巻き付けるには、回転テーブルによる被包装物の回転に合わせて、包装用フィルムを保持するホルダーの上げ下ろし動作を繰り返さなければならなかった。
ところが、このような包装用フィルムは、薄く伸ばした樹脂材料を多重に巻回してなる重量物である。したがって、作業者による手動での上げ下ろし動作を連続して行えば、作業者は疲労し、上げ下ろし動作が負担となるだけでなく、包装用フィルムの巻き付けにバラつきが生じて、被包装物を満遍なく包装できなくなってしまう場合がある。
【０００４】
本発明の課題は、作業者の負担を軽減できるとともに、被包装物を満遍なく包装できるフィルム包装機を提供することを目的とする。
【課題を解決するための手段】
【０００５】
請求項１に記載の発明は、例えば図１に示すように、包装用フィルム２を巻き付けて被包装物３を包装するフィルム包装機１において、
基台４と、この基台４に回転自在に支持され、前記被包装物３が載置される回転テーブル５と、前記基台４の近傍に設けられ、前記包装用フィルム２を支持するフィルム支持装置６とを備えており、
前記基台４には、前記回転テーブル５を回転させる回転駆動部５ａが内蔵されており、
前記フィルム支持装置６は、上下に長尺な支柱７と、この支柱７に沿って昇降可能に取り付けられる昇降駆動部８と、この昇降駆動部８と一体的に設けられ、多重に巻回された前記包装用フィルム２を巻き出し可能に支持する支持台９とを備えていることを特徴とする。
【０００６】
請求項１に記載の発明によれば、前記被包装物３は、この被包装物３が載置された前記回転テーブル５の回転によって包装用フィルム２を巻き取るようにして、前記包装用フィルム２が巻き付けられることとなる。また、前記フィルム支持装置６は、上下に長尺な支柱７と、この支柱７に沿って昇降可能に取り付けられる昇降駆動部８と、この昇降駆動部８と一体的に設けられ、多重に巻回された前記包装用フィルム２を巻き出し可能に支持する支持台９とを備えているので、これら昇降駆動部８および支持台９を、前記支柱７に沿って昇降させることによって、前記支持台９に支持された前記包装用フィルム２を、前記支柱７に沿って昇降させることができる。
したがって、前記包装用フィルム２を前記支柱７に沿って昇降させながら、この包装用フィルム２を被包装物３に巻き付けることができる。これによって、従来とは異なり、作業者が前記包装用フィルム２を上げ下ろしさせる必要がなくなるので、作業者の負担を軽減できるとともに、前記被包装物３を満遍なく包装することが可能となる。
【０００７】
請求項２に記載の発明は、例えば図１に示すように、請求項１に記載のフィルム包装機１において、
前記昇降駆動部８は、前記回転駆動部５ａの回転動作に連動して昇降動作を行うように設定されていることを特徴とする。
【０００８】
請求項２に記載の発明によれば、前記昇降駆動部８は、前記回転駆動部５ａの回転動作に連動して昇降動作を行うように設定されているので、前記包装用フィルム２を前記被包装物３に巻き付ける際に、例えば被包装物３側面の上部側だけに多く包装用フィルム２が巻き付けられていたり、下部側だけ包装用フィルム２の巻き付け量が少なかったり等、包装用フィルム２の巻き付けにバラつきが生じることを防ぐことができる。これによって、前記被包装物３をより満遍なく包装することが可能となる。
【０００９】
請求項３に記載の発明は、例えば図１に示すように、請求項１または２に記載のフィルム包装機１において、
前記支柱７の側面には、この支柱７の上下方向に沿って長尺な突条部７ａが設けられており、
前記昇降駆動部８には、前記支柱７および突条部７ａの双方を挿入可能な貫通孔８ａが形成されていることを特徴とする。
【００１０】
請求項３に記載の発明によれば、前記昇降駆動部８には、前記支柱７および突条部７ａの双方を挿入可能な貫通孔８ａが形成されているので、この昇降駆動部８を、前記支柱７に沿って昇降させる際に、左右にぶれることなく昇降させることができる。
【００１１】
請求項４に記載の発明は、例えば図１に示すように、請求項１〜３のいずれか一項に記載のフィルム包装機１において、
前記支持台９上には、前記包装用フィルム２の軸心に挿入される支持軸９ａが立設されており、前記包装用フィルム２は、この支持軸９ａの軸周り方向に回転自在となっていることを特徴とする。
【００１２】
請求項４に記載の発明によれば、前記支持台９上には、前記包装用フィルム２の軸心に挿入される支持軸９ａが立設されており、前記包装用フィルム２は、この支持軸９ａの軸周り方向に回転自在となっているので、前記包装用フィルム２の軸心に支持軸９ａを挿入することによって、前記支持台９によって前記包装用フィルム２を確実に巻き出し可能に支持することができる。
【００１３】
請求項５に記載の発明は、例えば図１に示すように、請求項１〜４のいずれか一項に記載のフィルム包装機１において、
前記包装用フィルム２は、ストレッチフィルムであることを特徴とする。
【００１４】
請求項５に記載の発明によれば、前記包装用フィルム２は、ストレッチフィルムであるので、この包装用フィルム２を前記被包装物３に確実に巻き付けることができる。すなわち、ストレッチフィルムは自己粘着性に優れるので、前記被包装物３に巻き付けられた後に解けることを防ぐことができる。また、強度や伸長性に優れるので、前記被包装物３を確実に結束させることができる。
【発明の効果】
【００１５】
本発明によれば、被包装物は、この被包装物が載置された回転テーブルの回転によって包装用フィルムを巻き取るようにして、包装用フィルムが巻き付けられることとなる。また、フィルム支持装置は、上下に長尺な支柱と、この支柱に沿って昇降可能に取り付けられる昇降駆動部と、この昇降駆動部と一体的に設けられ、多重に巻回された包装用フィルムを巻き出し可能に支持する支持台とを備えているので、これら昇降駆動部および支持台を支柱に沿って昇降させることによって、支持台に支持された包装用フィルムを支柱に沿って昇降させることができる。
したがって、包装用フィルムを支柱に沿って昇降させながら、この包装用フィルムを被包装物に巻き付けることができる。これによって、従来とは異なり、作業者が包装用フィルムを上げ下ろしさせる必要がなくなるので、作業者の負担を軽減できるとともに、被包装物を満遍なく包装することが可能となる。
【発明を実施するための最良の形態】
【００１６】
以下、図面を参照して本発明の実施の形態について説明する。
【００１７】
本実施の形態のフィルム包装機は、図１に示すように、包装用フィルム２を巻き付けて被包装物３を包装するものであり、基台４と、この基台４に回転自在に支持され、前記被包装物３が載置される回転テーブル５と、前記基台４の近傍に設けられ、前記包装用フィルム２を支持するフィルム支持装置６とを備えており、前記基台４には、前記回転テーブル５を回転させる回転駆動部５ａが内蔵されており、前記フィルム支持装置６は、上下に長尺な支柱７と、この支柱７に沿って昇降可能に取り付けられる昇降駆動部８と、この昇降駆動部８と一体的に設けられ、多重に巻回された前記包装用フィルム２を巻き出し可能に支持する支持台９とを備えている。
【００１８】
なお、本実施の形態の包装用フィルム２は、中空円筒状の軸心に一定量のフィルムを巻き取ってなる巻物状のストレッチフィルムであるが、これに限られるものではなく、本発明の趣旨を逸脱しない範囲で適宜変更可能である。
このストレッチフィルムは、自己粘着性に優れるとともに、強度や伸長性に優れるので、このストレッチフィルムが前記被包装物３に巻き付けられた後に解けることを防いだり、前記被包装物３を確実に結束させることができるようになっている。
【００１９】
前記被包装物３は、任意の物品であり、特に荷崩れ等を起こしやすいものが好ましい。また、図１に示すように、この被包装物３を輸送用のパレット３ａに載置しておき、このパレット３ａごと、前記回転テーブル５に載置することが好ましい。これによって、前記被包装物３を前記回転テーブル５上に載置する際も、前記回転テーブル５上から運び出す際もフォークリフト等によって容易に運搬することができる。
【００２０】
前記基台４は、前記回転テーブル５を支持するための台であるだけでなく、前記フィルム支持装置６も接続されて近傍に設けられている。
【００２１】
前記回転テーブル５は、いわゆるターンテーブルであり、前記基台４に内蔵された前記回転駆動部５ａによって回転可能となっている。
この回転駆動部５ａは、図示はしないが、モータと、このモータを制御する制御部とからなるものであり、例えば制御部によって、回転動作の始動や停止を制御したり、回転速度を制御したりできるようになっている。
【００２２】
前記フィルム支持装置６は、上述のように前記支柱７と昇降駆動部８、支持台９を備えている。
この支柱７は、中空円筒状に形成されたものであり、前記基台４に接続する脚台６ａの上面に立設されている。なお、この支柱７は、上下に長尺であるが、その長さ寸法は適宜変更可能である。
【００２３】
また、この支柱７の側面には、この支柱７の上下方向に沿って長尺な突条部７ａが設けられている。そして、この突条部７ａの表面は、長さ方向に沿って複数の歯が形成され、山谷状となっており、後述するギアと噛合するようになっている。
【００２４】
前記昇降駆動部８には、前記支柱７および突条部７ａの双方を挿入可能な貫通孔８ａが形成されており、この昇降駆動部８は、前記貫通孔８ａに前記支柱７および突条部７ａを挿通させるようにして前記支柱７に取り付けられている。
そして、このように前記昇降駆動部８には、前記支柱７および突条部７ａの双方を挿入可能な貫通孔８ａが形成されているので、この昇降駆動部８を、前記支柱７に沿って昇降させる際に、左右にぶれることなく昇降させることができるようになっている。
【００２５】
また、本実施の形態の昇降駆動部８は、図示はしないが、前記突条部７ａ表面の複数の歯に噛合するギアと、このギアを回転させるモータと、このモータを制御する制御部とからなるものであり、例えば制御部によって、前記ギアの回転動作の始動や停止を制御したり、回転速度を制御したりできるようになっている。
なお、本実施の形態において、前記昇降駆動部８が昇降する仕組みは、この昇降駆動部８のギアと前記突条部７ａの複数の歯とが噛合し、ギアが、突条部７ａの長さ方向に沿って昇降するものであるが、これに限られるものではない。
【００２６】
さらに、この昇降駆動部８は、前記回転駆動部５ａの回転動作に連動して昇降動作を行うように設定されており、前記包装用フィルム２を前記被包装物３に巻き付ける際に、例えば被包装物３側面の上部側だけに多く包装用フィルム２が巻き付けられていたり、下部側だけ包装用フィルム２の巻き付け量が少なかったり等、包装用フィルム２の巻き付けにバラつきが生じることを防ぐことができる。
【００２７】
また、前記回転駆動部５ａと前記昇降駆動部８とを連動させるには、例えば前記回転駆動部５ａの制御部と、前記昇降駆動部８の制御部とを同一のものとしたり、これら制御部同士を接続したりして連動させるようにする。
また、これら回転駆動部５ａおよび昇降駆動部８の連動した動作とは、具体的には、例えば前記回転駆動部５ａおよび昇降駆動部８によって、前記回転テーブル５および支持台９を徐々に回転速度を早めて加速させたり、徐々に回転速度を遅くして減速させたりできる。また、回転速度を維持したり、同時に始動・停止したりすることもできるようになっている。
さらに、この時、例えば前記回転駆動部５ａによって回転テーブル５が１回転するごとに、前記昇降駆動部８によって支持台９を、前記支柱７に沿って所定の回数昇降させることができるように、相互の回転速度の設定もなされている。
【００２８】
また、前記回転駆動部５ａには、前記基台４から若干離れた位置に足踏み式のスイッチ１０が設けられており、前記基台４から若干離れた位置で、足踏みでスイッチ１０の切り替えができるので安全性が高い。
さらに、このスイッチ１０によって、前記回転駆動部５ａだけでなく、前記昇降駆動部８の動作の切り替えができるように設定してもよいものとする。つまり、前記回転駆動部５ａおよび昇降駆動部８は連動しているので、始動や停止、加速、減速等の動作が同一であるためである。
【００２９】
なお、本実施の形態のスイッチ１０による前記回転駆動部５ａおよび昇降駆動部８の動作の切り替えは、例えばスイッチ１０の踏み込み回数や踏み込み時間等によって行うことができるものとするが、これに限られるものではなく、適宜変更可能である。さらに、スイッチ１０は足踏み式でなくともよい。
【００３０】
一方、前記支持台９は、前記昇降駆動部８と一体的に設けられたものであり、この支持台９上には、前記包装用フィルム２の軸心に挿入される支持軸９ａが立設されている。そして、前記包装用フィルム２は、この支持軸９ａの軸周り方向に回転自在となっている。なお、前記包装用フィルム２の軸心は、上下端部が開放された中空円筒状に形成されており、前記支持軸９ａを確実に挿入できるようになっている。
そして、前記包装用フィルム２の軸心に支持軸９ａを挿入することによって、前記支持台９によって前記包装用フィルム２を確実に巻き出し可能に支持することができるようになっている。
【００３１】
なお、本実施の形態において、前記支持軸９ａの外周面と、前記包装用フィルム２の軸心の内周面との間には隙間が形成されており、さらに、前記支持軸９ａの上端部には、前記包装用フィルム２の軸心の直径よりも大径に設定されて、前記包装用フィルム２の支持軸９ａからの抜け出しを防止する抜出防止部材９ｂが取り付けられている。
すなわち、前記支持軸９ａは、前記包装用フィルム２の軸心に対して遊挿された状態となっている。
【００３２】
次に、本実施の形態のフィルム包装機１によって被包装物３の側面に包装用フィルム２を巻き付ける際の動作について説明する。
【００３３】
まず、前記パレット３ａ上に載置された被包装物３を、このパレット３ａごと運んで、前記回転テーブル５の載置部５ｂ上に載置する。
一方、前記包装用フィルム２を、この包装用フィルム２の軸心に前記支持台９の支持軸９ａを挿入するようにして、前記支持台９によって支持する。
【００３４】
続いて、前記包装用フィルム２の端部を、前記被包装物３の側面に付着させる。この時、包装用フィルム２の端部を、前記被包装物３の物品間に挟み込んだり、前記パレット３ａと被包装物３との間に挟み込んだりしてもよい。
【００３５】
その後、前記スイッチ１０を踏み込んで、前記回転駆動部５ａおよび昇降駆動部８を駆動させて、前記回転テーブル５の回転動作を始動させるとともに、前記支持台９の、前記支柱７に沿っての昇降動作を始動させる。この時、前記回転駆動部５ａおよび昇降駆動部８が、徐々に加速していくように制御されているので、前記包装用フィルム２は、そのテンションを維持しながら前記被包装物３の側面に巻き付けられることとなる。
【００３６】
そして、このように、前記回転テーブル５が回転を始めるとともに、前記支持台９が昇降を始めることによって、前記包装用フィルム２は、前記被包装物３の側面を蛇行することとなり、この包装用フィルム２は、前記被包装物３の側面に満遍なく巻き付けられていくようになっている。
【００３７】
続いて、前記スイッチ１０を踏み込んで、前記回転駆動部５ａおよび昇降駆動部８を停止させる。この時、前記回転駆動部５ａおよび昇降駆動部８は、徐々に減速していくように制御されているので、前記包装用フィルム２の巻き出しも徐々に減速していくようになっている。
なお、この包装フィルム２は、この包装用フィルム２の軸心に前記支持軸９ａを遊挿した状態となっているので、この包装用フィルム２の下面は、前記支持台９の上面に接しており、これら包装用フィルム２の下面と支持台９の上面との間には摩擦が生じることとなる。これによって、前記回転駆動部５ａおよび昇降駆動部８が徐々に減速した際に、前記包装用フィルム２も徐々に減速することとなるので、この包装用フィルム２が余計に巻き出されることを防ぐことができる。
【００３８】
以上のようにして前記包装用フィルム２を前記被包装物３に巻き付けた後は、包装用フィルム２を所定の位置で切断して、前記被包装物３と切り離し、巻き付けが完了する。そして、前記パレット３ａごと前記被包装物３を運んでいく。
【００３９】
本実施の形態によれば、前記被包装物３は、この被包装物３が載置された前記回転テーブル５の回転によって包装用フィルム２を巻き取るようにして、前記包装用フィルム２が巻き付けられることとなる。また、前記フィルム支持装置６は、上下に長尺な支柱７と、この支柱７に沿って昇降可能に取り付けられる昇降駆動部８と、この昇降駆動部８と一体的に設けられ、多重に巻回された前記包装用フィルム２を巻き出し可能に支持する支持台９とを備えているので、これら昇降駆動部８および支持台９を、前記支柱７に沿って昇降させることによって、前記支持台９に支持された前記包装用フィルム２を、前記支柱７に沿って昇降させることができる。
したがって、前記包装用フィルム２を前記支柱７に沿って昇降させながら、この包装用フィルム２を被包装物３に巻き付けることができる。これによって、従来とは異なり、作業者が前記包装用フィルム２を上げ下ろしさせる必要がなくなるので、作業者の負担を軽減できるとともに、前記被包装物３を満遍なく包装することが可能となる。
【図面の簡単な説明】
【００４０】
【図１】本発明の実施の形態に係るフィルム包装機を示す斜視図である。
【符号の説明】
【００４１】
１  フィルム包装機
２  包装用フィルム
３  被包装物
４  基台
５  回転テーブル
５ａ  回転駆動部
６  フィルム支持装置
７  支柱
８  昇降駆動部
９  支持台
【図１】
2009062053.tif 000003